(57)【要約】      （修正有）【課題】磁石その他の天然石のピース群を直接に人の肌に触れることを防ぐ磁気リングを提供する。【解決手段】天然石６、磁石７とで構成されるピース群３を備える。このピース群３を樹脂チューブ５内に挿入して列状に配置し、さらにその両端部に一対の磁石８を極性を異なるように配する。それから、樹脂チューブ５を加熱して熱収縮を行わせしめて、リング本体２を形成し、このリング本体２へ両端部に接着留め具４ａ、４ｂを設けている。【選択図】図２
0003162748.tif 000002
【実用新案登録請求の範囲】
【請求項１】
磁石と、その他のピースとで構成され、特定又は不特定に配列されるピース群と、このピース群を拘束し、内部に列状に配置した樹脂チューブが外皮となるリング本体と、このリング本体の両端部に一対の磁石をそれぞれ極性の異なるように配した接着留め具とを備えたことを特徴とする磁気リング。
【請求項２】
前記樹脂チューブは、熱収縮性を有するものであることを特徴とする請求項１記載の磁気リング。
【請求項３】
前記樹脂チューブの収縮により、その両端部に設けられる前記接着留め具となる一対の磁石間に、磁石とその他のピースが列状に配置、拘束されてなることを特徴とする請求項１又は２記載の磁気リング。
【請求項４】
前記その他のピースが天然石から成ることを特徴とする請求項１記載の磁気リング。
【請求項５】
前記磁石間に複数配置される天然石のいずれかをトルマリン石としたことを特徴とする請求項４記載の磁気リング。
【考案の詳細な説明】
【技術分野】
【０００１】
この考案は、環状の磁気リングであって、具体的には、ネックレスやブレイスリストに関する。
【背景技術】
【０００２】
磁気ネックレス、磁気ブレイスリスト等の磁気リングは、種々作られ、特許公報にも種々開示されている。例えば、特許文献１（実開平７−１１９１９号公報）には、木、プラスチック、ガラス、セラミック、磁性体、金属等で作られたビーズ、管又は連結可能な板、或いは多形状のピースの方面に遠赤外線放射塗料を塗加工し、数珠状、又は両端にフックやカンを設けて連珠状に構成した装飾を兼ねた保健用遠赤外線放射ネックレスを開示する。
【０００３】
特許文献２（特開２００４−１６６８９５号公報）は、リングに複数の永久磁石を配設して構成される永久磁石リングを開示する。この永久磁石リングは、上記永久磁石の各々に通し穴が形成され、その通し穴に上記リングが通されていることにより上記永久磁石の各々が、リングに対して移動可能に装着されている。また、互いに隣り合う永久磁石の対向する磁極が相互に同極となるように配置され、互いに磁気反発してリング上で所定の間隔が開くようになっている。
【０００４】
特許文献３（特開２００９−１８０６１号公報）は、ネックレス等に用いられる身体に血行促進作用を及ぼす磁気治療器具において、樹脂２００を着磁された複数の粒上の固形物１４とからなり、可焼性を有する長尺なる磁性部１０を備え、前記複数の固形物１４を、前記樹脂２００で覆われた状態で互いに離間した位置に配置されている磁気治療器具、いわゆる磁気ネックレスを開示する。
【先行技術文献】
【特許文献】
【０００５】
【特許文献１】実開平７−１１９１９号公報
【特許文献２】特開２００４−１６６８９５号公報
【特許文献３】特開２００９−１８０６１号公報
【考案の概要】
【考案が解決しようとする課題】
【０００６】
上記特許文献１又は２に開示されているネックレスでは、構成ピースのそれぞれにひもを通すために穴を形成する加工を施さなければならず、穴加工に手間がかかるという不具合があり、また直接構成ピースが肌に触れるため、装着した場合に違和感があったり、アレルギーを発病させたり、構成ピースの角によって皮膚を傷める不具合があった。
【０００７】
また、特許文献３に開示されるネックレスでは、軽量化の目的のため、軽量な樹脂に対し、離間した位置に磁性体を複数個を配した構成をしている。したがって、軽量化は達成されたが、製造方法が少なくとも３つの工程を持ち、工程を実現する製造装置も大掛かりとなっている。実施例では磁性部１０に対応する上型１０２と下型１０４とを備えた金型１００に樹脂をセットする樹脂セット工程と、前記金型にセットされた樹脂に、磁性体を離間した位に埋め込む埋め込み工程と、前記金型１００によって、前記樹脂をプレス成形するプレス成型工程とを含むものとしている。このプレス成型工程時には、１６０℃の温度で加熱し、且つ８．５ｔの圧力を加えているなど製造装置も大型で複雑となっていた。
【０００８】
このため、この考案は、健康のために設けられるピースを、皮膚に直接触れること無く、しかも製造装置もプレス機械など大掛かりなものは必要とせず安価で且つ容易に製造できるネックレス、ブレイスリストなどの環状の磁気リングを提供することにある。
【課題を解決するための手段】
【０００９】
この考案に係る磁気リングは、磁石と、その他のピースとで構成され、特定又は不特定に配列されるピース群と、このピース群を拘束し、内部に列状に配置した樹脂チューブが外皮となるリング本体と、このリング本体の両端部に一対の磁石をそれぞれ極性の異なるように配した接着留め具とを備えたことを特徴としている（請求項１）。
【００１０】
これによって、磁石と、その他のピースで構成されるピース群が、樹脂チューブにより拘束され、内部に列状に配置されることのなると共に、樹脂チューブの両端部に一対の磁石により構成される接着留め具が設けられたので、着脱も容易で、特別の部品を設ける必要もない。
【００１１】
樹脂チューブとして、熱収縮性を持つものが採用されることが好ましい（請求項２）。したがって、樹脂チューブ内に磁石と、その他のピースとで構成されるピース群を収納し、しかる後に熱を加えることで、樹脂チューブを収縮させることで、ピースを特定の配列に維持させることができる。
【００１２】
樹脂チューブの収縮により、その両端部に設けられる前記接着留め具となる一対の磁石間に、磁石とその他のピースが列状に拘束されてなる（請求項３）。したがって、樹脂チューブの両端部に、接着留め具が樹脂の収縮により作られ、さらに、さらに、接着留め具から磁石とその他のピースが列状に拘束され、特定の配列が維持される。
【００１３】
前記した磁石を除外したピース群は天然石であることが好ましい（請求項４）、また天然石のいずれかをトルマリン石とすることが好ましい（請求項５）。これにより、遠赤外線効果をも得られるし、またトルマリン石による効果も期待できる。
【考案の効果】
【００１４】
上述したように、この考案によれば、樹脂チューブにより磁石、その他のピースが拘束され、内部に列状に配列され、使用状態では変化されることがない。このように磁石、その他のピースが樹脂チューブにより被覆され皮膚に直接触れることが無いためアレルギーの発症を抑えることができる。
【００１５】
最も大きな効果は、樹脂チューブが熱収縮性であるため、樹脂チューブに磁石、その他のピースを内部に収納した後に、熱を加えることで、収縮して内部の収納物を拘束することができ、磁気ネックレス、磁気ブレイスリスト等の磁気リングの製造が容易となり、大掛かりな装置も必要としない利点を有している。このために製造コストを引き下げることができる。
【図面の簡単な説明】
【００１６】
【図１】この考案に係る磁気リングとしてのネックレスの外観図である。
【図２】この考案に係る磁気リングの接着留め具付近の断面図である。
【図３】この考案に係る磁気リングの製造工程を示し、樹脂チューブに磁石その他のピースを収納し、この樹脂チューブが熱収縮前の状態を示す断面図である。
【図４】この考案に係る磁気リングとしてのブレイスリストの外観図である。
【考案を実施するための形態】
【００１７】
以下、この考案の実施例を図面にもとづいて説明する。
【実施例１】
【００１８】
図１、図２には、この考案の磁気リング１が示され、磁気リング１としての磁気ネックレスが具体的として開示されている。この磁気リング１は、樹脂チューブにより被覆の環状のリング本体２と、このリング本体２内に収納される磁石や所定の大きさの天然石又はトルマリン等からなるピース群３と、リング本体２と、このリング本体２の両端部に位置する接着留め具４ａ、４ｂとにより構成される。
【００１９】
前記リング本体２は、所定の口径（例えば７ｍｍ程）を有し、所定の長さ（例えば５３ｃｍ程）の樹脂チューブ５により被覆されたもので、その樹脂チューブ５は、熱収縮性を持っている。この熱収縮性の樹脂チューブ５は、ポリオレフィン、ポリ塩化ビニル、ポリフッ化ビニリデンから形成されている。
【００２０】
リング本体２の製造は、図３に示されるように、まず樹脂チューブ５を用意する。その樹脂チューブ５は両端が開口され、その内部に、所定の大きさの天然石６を所定数挿入し、それと共に磁石７を挿入する。この作業を繰り返すことで、リング本体２内に所定の天然石６ごとに磁石７が配置される。それから、樹脂チューブ５の両端部に、接着留め具４ａ、４ｂとなる磁石８をそれぞれ挿入する。当然ながら、その磁石８の極性は接着のための対向側は反対磁極となっている。
【００２１】
そして、その後に、樹脂チューブ５に熱を加える。１２０℃程の温度により加熱することで、樹脂チューブ５は収縮をおこし、内部の天然石６及び磁石７を拘束する。これにより、天然石６及び磁石７の配列が固定される。同時に両端部の磁石８も拘束され、両端部に接着留め具４ａ、４ｂが作られる。
【００２２】
この接着留め具４ａ、４ｂは、その対峙する部分には、接着のために反対磁極となっていることは前述した通りで、樹脂チューブ５の端が収縮により内側に回り込むことで拘束片５ａとなって口径を縮めて磁石８の離脱が防がれている。なお、このネックレスの磁極は、ネックレスに挿入される磁石７の極性と整合することが望ましい。
【００２３】
この考案に係る磁気リング１を装着した場合に、外皮となる樹脂チューブ５により覆われえるために、天然石６及び磁石７が直接肌に触れることがなく、良好な装着感が得られる。また、磁石による磁石の効果、天然石又はトルマリン石による効果も得られる。
【実施例２】
【００２４】
図４には、この考案の磁気リング１としての磁気ブレイスリストが具体的例として示され、この例も実施例１の磁気ネックレスと長さのみが相違するだけで、同一の符号を付して説明を省略するが、実施例１と同一の作用効果を奏している。
【符号の説明】
【００２５】
１    磁気リング
２    リング本体
３    ピース群
４ａ，４ｂ    接着留め具
５    樹脂チューブ
５ａ  拘束片
６    天然石
７    磁石
８    接着留め具用の磁石
【図１】
0003162748.tif 000003
【図２】
0003162748.tif 000004
【図３】
0003162748.tif 000005
【図４】
0003162748.tif 000006